(57)【特許請求の範囲】
【請求項１】
車両の運転者に安全運転を促進させる安全運転促進装置であって、
運転者の操作情報、運転者が行った行動のうちの安全運転のための視認行動に基づいた視認行動情報、及び車両の環境情報を取得する情報取得部と、
前記操作情報及び前記環境情報に基づいて現時刻の車両の運転状況である現運転状況を解析する解析部と、
予め車両の運転状況に応じて設定されて、安全運転のためにすべき視認行動の基準となる複数の視認行動基準が記憶された記憶部と、
複数の前記視認行動基準のうちの前記解析部で解析された前記現運転状況に応じて選択された現視認行動基準を前記記憶部から読み出し、その現視認行動基準及び前記視認行動情報を比較して、前記視認行動情報がその現視認行動基準を満たしているか否かを判定する判定部と、を備えたことを特徴とする安全運転促進装置。
【請求項２】
車両の運転状況が、発進時、右左折時、後退時、及び直進時のうちの少なくとも二つを含み、前記記憶部に各運転状況に応じた前記視認行動基準を記憶した請求項１に記載の安全運転促進装置。
【請求項３】
車両の運転状況が、車線変更時、及び高速巡航時を含み、前記記憶部に各運転状況に応じた前記視認行動基準を記憶した請求項２に記載の安全運転促進装置。
【請求項４】
前記判定部における判定結果を報知する報知部をさらに備える請求項１〜３のいずれか１項に記載の安全運転促進装置。
【請求項５】
車両の運転者に安全運転を促進させる安全運転促進方法であって、
制御装置により、運転者の操作情報、運転者が行った行動のうちの安全運転のための視認行動に基づいた視認行動情報、及び車両の環境情報を取得するステップと、
前記制御装置により、前記操作情報及び前記環境情報に基づいて現時刻の車両の運転状況である現運転状況を解析するステップと、
前記制御装置により、予め車両の運転状況に応じて設定されて、安全運転のためにすべき視認行動の基準となる複数の視認行動基準のうちから前記現運転状況に応じて選択された現視認行動基準及び前記視認行動情報を比較して、前記視認行動情報がその現視認行動基準を満たしているか否かを判定するステップと、を含むことを特徴とする安全運転促進方法。
【請求項６】
前記現視認行動基準及び前記視認行動情報を比較して、前記視認行動情報が前記現視認行動基準を満たしているか否かを判定するステップの後に、前記制御装置によりその判定するステップにおける判定結果を表示装置に表示して報知するステップを含む請求項５に記載の安全運転促進方法。
【発明の詳細な説明】
【技術分野】
【０００１】
本発明は、安全運転促進装置及び安全運転促進方法に関し、より詳細には、運転者に様々な運転状況に応じた視認行動を務めるように促す安全運転促進装置及び安全運転促進方法に関する。
【背景技術】
【０００２】
運転者が視認行動を怠っている、すなわち運転者が脇見をしている（前方不注視）と判定した場合には、あるいは、運転者の覚醒レベルが低下していることを判定した場合には、運転者に向けて警告して、安全運転を促進する装置が提案されている（例えば、特許文献１、２、３参照）。なお、この装置における判定は、運転者のステアリング操作及びアクセル操作などに基づいた車両挙動情報、運転者の開眼度合い、顔向き変化、及び視線変化などの顔画像情報、並びに、運転者の心電図、脈拍数、及び脳波の変化などの生理的反応情報のいずれか、又はいくつかの組み合わせにより、行われている。
【０００３】
しかしながら、車両の運転状況には、発進時、右左折時、後退時、直進時など様々なシーンがあり、その運転状況によっては、運転者のするべき視認行動は異なっている。上記の装置らは車両の運転状況が直進時のみを対象としたものであり、その他の発進時、右左折時、及び後退時などの運転状況は対象外となっている。
【０００４】
そのため、対象外となっている運転状況では、運転者の安全運転の評価を行うことができないので、運転者が運転状況に応じた視認行動を怠っていたとしても、それを改善することができないという問題があった。
【先行技術文献】
【特許文献】
【０００５】
【特許文献１】特開２００１−１２４５８５号公報
【特許文献２】特開２００８−０９７４４５号公報
【特許文献３】特開２０１５−０３３４５７号公報
【発明の概要】
【発明が解決しようとする課題】
【０００６】
本発明の目的は、運転者に様々な運転状況に応じた視認行動を務めるように促すことができる安全運転促進装置及び安全運転促進方法を提供することである。
【課題を解決するための手段】
【０００７】
上記の目的を達成する本発明の安全運転促進装置は、車両の運転者に安全運転を促進させる安全運転促進装置であって、運転者の操作情報、運転者が行った行動のうちの安全運転のための視認行動に基づいた視認行動情報、及び車両の環境情報を取得する情報取得部と、前記操作情報及び前記環境情報に基づいて現時刻の車両の運転状況である現運転状況を解析する解析部と、予め車両の運転状況に応じて設定されて、安全運転のためにすべき視認行動の基準となる複数の視認行動基準が記憶された記憶部と、複数の前記視認行動基準のうちの前記解析部で解析された前記現運転状況に応じて選択された現視認行動基準を前記記憶部から読み出し、その現視認行動基準及び前記視認行動情報を比較して、前記視認行動情報がその現視認行動基準を満たしているか否かを判定する判定部と、を備えたことを特徴とするものである。
【０００８】
また、上記の目的を達成する本発明の安全運転促進方法は、車両の運転者に安全運転を促進させる安全運転促進方法であって、制御装置により、運転者の操作情報、運転者が行った行動のうちの安全運転のための視認行動に基づいた視認行動情報、及び車両の環境情報を取得するステップと、前記制御装置により、前記操作情報及び前記環境情報に基づいて現時刻の車両の運転状況である現運転状況を解析するステップと、前記制御装置により、予め車両の運転状況に応じて設定されて、安全運転のためにすべき視認行動の基準となる複数の視認行動基準のうちから前記現運転状況に応じて選択された現視認行動基準及び前記視認行動情報を比較して、前記視認行動情報がその現視認行動基準を満たしているか否かを判定するステップと、を含むことを特徴とする方法である。
【０００９】
なお、ここでいう視認行動とは、安全運転のための視認行動であり、脇見などの安全運転に関係のない視認行動を除いたものである。この安全運転のための視認行動としては、フロントガラスを介して車両の進行方向、つまり前方を視認する前方視認行動、右側サイドミラーの確認を含む、車両の右側、右側前方、及び右側後方を視認する右側視認行動、左側サイドミラーの確認を含む、車両の左側、左側前方、及び左側後方を視認する左側視認行動、メータパネルなどを視認する下側視認行動を例示できる。従って、視認行動情報とは、それらの視認行動の回数や頻度などを例示できる。
【００１０】
また、運転状況に応じた視認行動基準とは、車両の発進前に右側視認行動及び左側視認行動を行うこと、車両の右左折時に少なくとも２回の進行方向の視認行動を行うことかつ少なくとも１回の進行逆方向の視認行動を行うこと、車両の後退時に右側視認行動及び左側視認行動を行うこと、及び車両が直進時に定期的に右側視認行動、左側視認行動、及び下側視認行動を行うことなどを例示できる。
【発明の効果】
【００１１】
本発明の安全運転促進装置及び安全運転促進方法によれば、現運転状況を解析して、その現運転状況に応じて選択された現視認行動基準と実際に運転者が行った視認行動とを比較して、その視認行動が現視認行動基準を満たしているか否かを判定するようにしたことにより、その判定結果に基づいて運転者や評価者が発進時、右左折時、後退時、直進時などの様々な運転状況で安全運転のための行動が行われているかを評価することができる。
【００１２】
これにより、今回の運転時の改善点を洗い出して次回の運行時にその改善点に対して対策したり、今回の運転時の秀逸点を見出して運転者を褒称したりして、運転者に様々な運転状況に応じた視認行動を務めさせることができる。
【００１３】
なお、この安全運転促進装置及び安全運転促進方法は、判定結果を報知することが望ましい。ここでいう判定結果の報知とは、車両を運転中の運転者に判定結果を逐次報知することの他、車両の運転が終了した後に、判定結果を総合評価して運転者や管理者に報知することも含む。また、判定結果は、運転者が運転状況に応じた視認行動を怠っていることを警告することや、運転者が運転状況に応じた視認行動に務めたことを褒称することを含む。
【図面の簡単な説明】
【００１４】
【図１】本発明の実施形態の車両の安全運転促進装置を例示する構成図である。
【図２】図１の車両の進行方向に見た運転室の内部を例示する構成図である。
【図３】図１の安全運転促進装置の制御装置を具体的に例示する構成図である。
【図４】図１のカメラで撮像した撮像画像であり、図４（ａ）は運転者が前方を注視している状況を例示し、図４（ｂ）は運転者が右側を注視している状況を例示し、図４（ｃ）は運転者が左側を注視している状況を例示し、図４（ｄ）は運転者がメータパネルを注視している状況を例示している。
【図５】図１の表示装置の表示画面を例示する図であり、運転状況ごとの運転者への褒称を記号で表示した例である。
【図６】図１の表示装置の表示画面を例示する図であり、運転状況ごとの運転者への褒称をレダーチャートで表示した例である。
【図７】本発明の実施形態の安全運転促進方法を例示するフローチャートである。
【発明を実施するための形態】
【００１５】
以下に、本発明の実施形態について、図面を参照して説明する。図１〜図３は、本発明の第一実施形態からなる車両１０の安全運転促進装置４０を例示する。この安全運転促進装置４０は、車両１０を運転している運転者に安全運転をさせるように促進する装置である。なお、図中の一点鎖線は信号線を示している。
【００１６】
図１に示すように、車両１０は、シャーシ１１の前方側に運転室（キャブ）１２が配置され、シャーシ１１の後方側にボディ１３が配置されている。運転室１２の内部には、運転者が搭乗する運転席１４と、運転者が操作する操作機器１５として、ハンドル１６、ＡＢＣペダル（アクセルペダル、ブレーキペダル、及びクラッチペダルの３つのペダルの総称）１７、シフトレバー１８、ウィンカスイッチ１９などが配置されている。なお、操作機器１５としては、この他、図示しないワイパースイッチなどを例示できる。
【００１７】
また、図２に示すように、車両１０を進行方向に見たときの運転室１２の前方には、フロントガラス２０が配置され、運転室１２の左右側面にはサイドガラス２１、２２が配置されている。フロントガラス２０の下方で、且つ運転席１４の前方には、メータパネル（計器類）２３が配置され、フロントガラス２０の上部側には、ルームミラー２４が配置されている。更に、運転室１２の右外側、つまりサイドガラス２１の外側には、右側サイドミラー２５が配置され、運転室１２の左外側、つまりサイドガラス２２の外側には、左側サイドミラー２６、サイドアンダーミラー２７、及びアンダーミラー２８が配置されている。なお、運転室１２の左側に運転席１４を設けてもよく、ミラーなどの配置についても右側にアンダーミラーを追加するなどその構成については限定されない。
【００１８】
加えて、図３に示すように、車両１０は、図示しないエンジンやトランスミッションなどに搭載された電子機器（燃料噴射弁、アクチュエータなど）を各部に配置されたセンサの信号を基にエンジンやトランスミッションを制御する車両制御装置（エンジン用制御装置、変速機用制御装置など）３０を備えている。これらの車両制御装置３０はローカルインターコネクトネットワーク（ＬＩＮ）、コントローラエリアネットワーク（ＣＡＮ）、フレックスレイ（ＦｌｅｘＲａｙ）などの車載ネットワーク３１により相互に通信可能に接続されている。
【００１９】
さらに、車両１０は、運転者の運転を支援する運転支援装置３２として、車間警報装置３３、ブレーキ支援装置３４、定速走行制御装置（なお、車間を一定の間隔に維持する機能を有するものも含む）３５、車線逸脱警報システム３６、運転状態モニタリングシステム３７、並びに、環境状況取得装置３８を備えている。それらの運転支援装置３２も車両制御装置３０と同様に車載ネットワーク３１により相互に通信可能に接続されている。
【００２０】
車間警報装置３３としては、車両１０の前方を走行している他車両との車間距離を計測して、その車間距離が予め設定した閾値以下になると警報する装置を例示できる。
【００２１】
ブレーキ支援装置３４としては、急ブレーキや低摩擦路でのブレーキ操作で車輪のロックによる滑走発生を低減するＡＢＳ（アンチロックブレーキシステム）、及びレーダやカメラなどを用いて、車両１０が前方の障害物に衝突しそうになったときにブレーキを掛ける衝突被害軽減ブレーキシステムなどを例示できる。
【００２２】
定速走行制御装置３５としては、運転者の設定した目標速度を維持するように車両制御装置３０を制御する装置を例示できる。車線逸脱警報システム３６としては、車両１０が
走行している道路上の車線を検知して、車両１０がその車線を逸脱しようとするときに、あるいは逸脱したときに警報する装置を例示できる。
【００２３】
運転状態モニタリングシステム３７としては、図１及び図２に示すカメラ３７ａで運転者の顔向きや視線方向を撮像した画像を解析する装置を例示できる。環境状況取得装置３８としては、車両１０の走行路、天候、及び運転時間を取得するカーナビゲーションシステムを例示できる。
【００２４】
なお、上記の運転支援装置３２らは一例であり、本発明においては上記の構成に限定されない。また、運転支援装置３２については、以下で記述する情報Ｄｘを取得できればよく、それぞれの構成については周知技術を用いることにし、それぞれの構成の詳細については説明を省略する。
【００２５】
安全運転促進装置４０は、車両制御装置３０及び運転支援装置３２に車載ネットワーク３１を介して接続された制御装置（コントロールユニット）４１と、その制御装置４１の出力を表示する表示装置４２とを備えている。
【００２６】
制御装置４１は、各種処理を行うＣＰＵ、その各種処理を行うために用いられるプログラムが一時的に格納されるＲＯＭ、処理結果を読み書き可能なＲＡＭ、及び各種インターフェースなどから構成されている。表示装置４２としては、メータパネル２３に配置された、あるいは、その周囲に配置されたディスプレイを例示できる。
【００２７】
この安全運転促進装置４０は、運転者が表示装置４２を確認することにより運転者に安全運転をさせるように促進する装置であり、この表示装置４２に運転者が様々な運転状況に応じた視認行動を行ったか否かを判定結果として表示する。
【００２８】
そこで、本発明の安全運転促進装置４０においては、制御装置４１が、情報取得部４３と、解析部４４と、記憶部４５と、判定部４６と、報知部４７とを備えて構成される。そして、安全運転促進装置４０は、以下のように運転者が運転状況に応じた視認行動を行ったか否かを判定結果として表示装置４２に表示する。
【００２９】
まず、情報取得部４３が、車載ネットワーク３１を経由して運転者の操作情報Ｏｘ、運転者の視認行動情報Ｖｘ、及び車両の環境情報Ｅｘを取得する。次いで、解析部４４が、操作情報Ｏｘ及び環境情報Ｅｘに基づいて現時刻ｔの車両１０の運転状況である現運転状況ＤＳｘを解析する。次いで、判定部４６が、予め車両１０の運転状況に応じて設定され、記憶部４５に記憶された複数の視認行動基準Ｃｎのうちから、解析部４４で解析された現運転状況ＤＳｘに応じた現視認行動基準Ｃｘを選択して、この現視認行動基準Ｃｘと視認行動情報Ｖｘを比較して、運転者の視認行動が現視認行動基準Ｃｘを満たしているか否かを判定する。次いで、報知部４７が、判定部４６での判定結果を表示装置４２に表示するように構成される。
【００３０】
なお、情報取得部４３、解析部４４、判定部４６、及び報知部４７のそれぞれは、記憶部４５に記憶された実行プログラムがＣＰＵによりＲＯＭに読み出されることで、それぞれ予め指定された処理を行う手段を例示でき、この他、アナログフィルタやそれぞれ独立して機能する制御装置などで構成されてもよい。
【００３１】
情報取得部４３は、車載ネットワーク３１から取得した各情報Ｄｘを記憶部４５に記憶するステップを処理する手段である。各情報Ｄｘは、操作情報Ｏｘ、視認行動情報Ｖｘ、及び環境情報Ｅｘに分類される。
【００３２】
具体的には、操作情報Ｏｘとしては、車速Ｖ及び定速走行制御装置３５の作動状況、ハンドル１６の操舵角θ及び車線逸脱警報システム３６で検知された車両１０の横変位量、及びＡＢＣペダル１７やシフトレバー１８の操作など例示できる。
【００３３】
視認行動情報Ｖｘとしては、運転状態モニタリングシステム３７のカメラ３７ａで撮像される画像に基づいて判定された情報である。
【００３４】
このカメラ３７ａは、運転室１２に搭乗した運転者の顔を少なくとも含む撮像範囲の画像を撮像する画像情報取得装置である。このカメラ３７ａは、この実施形態のように大型車両に適用する場合には、普通乗用車と比較して運転者の視認行動の動きが大きく、且つその回数も多くなるため、広角を撮像できるカメラ、あるいは複数のカメラで構成されるカメラユニットが好ましい。また、このカメラ３７ａの解像度は、画像に基づいて運転者の顔向きの角度を解析できる解像度であればよい。なお、この実施形態では、カメラ３７ａが運転者の顔向きを撮像する構成としているが、運転者の視線の向きや開眼度を撮像する構成としてもよい。但し、運転者の視線の向きを精度良く撮像するためには、より高解像度のカメラが必要となる。また、カメラ３７ａに代えて、画像取得装置としては、運転者の顔向きを検出可能な頭部挙動センサ（加速度センサやジャイロなど）を用いてもよい。
【００３５】
図４は、カメラ３７ａで撮像した画像を例示している。この画像は動画や０．１秒〜１秒ごとの静止画である。車両１０を運転中の運転者は、図４（ａ）の画像に示すようにフロントガラス２０を介して車両１０の進行方向、つまり前方を注視する前方視認行動と、図４（ｂ）の画像に示すように右側サイドミラー２５の確認を含む、車両１０の右側、右側前方、及び右側後方を視認する右側視認行動と、図４（ｃ）の画像に示すように左側サイドミラー２６、サイドアンダーミラー２７、及びアンダーミラー２８などの確認を含む、車両１０の左側、左側前方、及び左側後方を視認する左側視認行動と、図４（ｄ）の画像に示すようにメータパネル２３などを視認する下側視認行動と、を行っている。
【００３６】
運転状態モニタリングシステム３７では以上の画像から取得した運転者の顔向き又は視線の変化回数Ｎやその頻度Ｆの増減、その変化のバランスの正否の情報を用いて、運転者の行った行動が視認行動か否かを判定するように構成されることが望ましい。その判定方法としては、以下の方法を例示できる。
【００３７】
例えば、画像から車両１０の進行方向を基準として運転者の顔向き角度又は視線角度を解析して、その角度が予め設定された閾値以上の状態が予め設定された経過時間続いたか否かにより脇見か否かを判定する方法がある。
【００３８】
また、上記の方法よりもより精度が高い方法としては、取得したその角度を時系列で記憶し、過去一定期間における各角度に基づいた関数を時間積分した積分値が予め設定した閾値以上か否かを判定し、その角度の関数の積分値が閾値以上の場合には脇見であると判定したり、過去一定期間における角度の時系列を変換したパワースペクトルの関数を周波数積分した積分値が予め設定した閾値以上か否かを判定し、そのパワースペクトルの関数の積分値が閾値以上の場合には脇見であると判定したりする方法がある。このように、運転中の視認行動が安全運転のためであるかを判定する際に、運転者の現時刻の行動のみで判定するのではなく、過去の行動の履歴も考慮して判定することで、運転者の行動が脇見に起因する行動か、安全運転のための視認行動に起因する行動かを正確に判定することができる。
【００３９】
さらに、顔向き又は視線の変化速度が予め設定された閾値以下であるか否かを判定し、その変化速度が閾値以下の場合には脇見であると判定する方法もある。このように、運転
中の視認行動の変化速度の高低で判定することで、運転者の行動が脇見に起因する行動か、安全運転のための視認行動に起因する行動かを正確に判定することができる。
【００４０】
この運転状態モニタリングシステム３７で、運転者の行った行動が視認行動か、それとも脇見や覚醒状態が低下したことに起因する行動かを判定し、視認行動情報Ｖｘとして視認行動のみを抽出することで、運転状況に応じた視認行動を精度良く判定することができる。なお、この運転状態モニタリングシステム３７では、上記のいくつかの方法を例示できるが、その方法については限定せず、その他の周知の方法も含めて適時変更可能である。
【００４１】
環境情報Ｅｘとしては、車両１０を運転している現時刻ｔや運転を開始してからの経過時間Ｔ、車間警報装置３３及びブレーキ支援装置３４の作動状況、車両１０の走行している走行路の勾配の有無やカーブの有無、天候の変化などを例示できる。
【００４２】
つまり、操作情報Ｏｘは運転者の運転操作の情報であり、視認行動情報Ｖｘは運転者が行った視認行動の情報であり、環境情報Ｅｘは車両１０（運転者）を取り巻く環境の変化の情報である。なお、この情報取得部４３の取得する情報は、上記の例示した情報以外の情報を追加してもよく、また上記に例示した情報も全て選択する必要はなく適時選択可能である。
【００４３】
解析部４４は、操作情報Ｏｘ及び環境情報Ｅｘに基づいて現時刻ｔの車両１０の運転状況である現運転状況ＤＳｘを解析するステップを処理する手段である。具体的には、車両挙動情報Ｖｘに基づいて、車両１０の現運転状況ＤＳｘとして、発進時ＤＳ１、右左折時ＤＳ２、後退時ＤＳ３、及び直進時ＤＳ４を解析するステップを処理する手段である。
【００４４】
例えば、車速Ｖがゼロｋｍ／ｈから増加する場合には発進時ＤＳ１と解析し、操舵角θが閾値θａ以上の場合に右左折時ＤＳ２と解析し、シフトレバー１８がリバースポジションに操作された場合に後退時ＤＳ３と解析し、車速Ｖがゼロｋｍ／ｈ超で、且つ操舵角θが閾値θａ未満の場合に直進時ＤＳ４と解析する。なお、操作情報Ｏｘ及び環境情報Ｅｘに基づいた現運転状況ＤＳｘの解析は一例であり、これに限定されない。
【００４５】
記憶部４５は、不揮発性メモリやハードディスクなどの記憶媒体で構成され、情報取得部４３が取得した各情報Ｄｘ、制御装置４１のＲＯＭに読み込まれるプログラム、予め実験や試験により車両１０の運転状況に応じて設定された複数の視認行動基準Ｃｎ、制御装置４１における各処理の結果などが記憶される。
【００４６】
視認行動基準Ｃｎは、運転状況に応じて安全運転のためにすべき視認行動の基準を示しており、例えば、発進時ＤＳ１における視認行動基準Ｃ１は発進±５秒程度の間に少なくとも１回以上の左右一対の視認行動を行うこと、右左折時ＤＳ２における視認行動基準Ｃ２は少なくとも２回以上の車両１０の進行方向の視認行動を行うことかつ少なくとも１回以上の車両１０の進行逆方向の視認行動を行うこと、後退時ＤＳ３の視認行動基準Ｃ３は左側及び右側の少なくとも１回以上の視認行動を行うこと、並びに、直進時ＤＳ４における視認行動基準Ｃ４は予め設定した経過時間Ｔ１内に左側及び右側の少なくとも１回以上の視認行動を行うことをそれぞれ例示できる。
【００４７】
なお、この視認行動基準Ｃｎは、運転状況に応じて視認行動の種類、回数、行う時間などを適宜組み合わせて設定することができ、例えば、運転状況によっては、下側視認行動などの視認行動を含めてもよい。また、この各運転状況応じた安全運転のための視認行動基準Ｃｎは、運転者の覚醒状態が低下していないで、且つその視認行動が脇見ではないという前提で設定される。
【００４８】
判定部４６は、複数の視認行動基準Ｃ１〜Ｃ４のうちから解析された現運転状況ＤＳｘに応じて選択された現視認行動基準Ｃｘを記憶部４５から読み出し、その現視認行動基準Ｃｘ及び視認行動情報Ｖｘを比較して、運転者の視認行動が現視認行動基準Ｃｘを満たしているか否かを判定するステップを処理する手段である。
【００４９】
この判定部４６での判定結果は、発進時ＤＳ１を例に説明すると、車両１０の発進±５秒程度の間に運転者の行った視認行動が左側視認行動のみであった場合には、視認行動基準Ｃ１を満たしておらず運転者が安全運転を怠ったという判定結果となる。一方、車両１０の発進±５秒程度の間に運転者の行った視認行動が左側視認行動及び右視認行動であった場合には、視認行動基準Ｃ１を満たしているため運転者が安全運転に務めたという判定結果となる。
【００５０】
報知部４７は、判定部４６における判定結果を運転者に報知する、すなわちその判定結果を表示装置４２に表示するステップを処理する手段であり、具体的には、運転者が運転状況に応じた安全運転に務めたということを褒称するステップと、運転者が運転状況に応じた安全運転を怠ったということを警告するステップとを処理する手段である。なお、褒称するステップと警告するステップとはどちらか一方でもよい。
【００５１】
図５、図６は、表示装置４２に表示される表示画面４８Ａ、４８Ｂを例示している。図５の表示画面４８Ａは、画面上部に運転者の総合評価が音符記号４８ａの数で示されており、その総合評価から下部に向って順に発進時ＤＳ１における評価、右左折時ＤＳ２における評価、後退時ＤＳ３における評価、及び直進時ＤＳ４における評価が配置される。なお、表示画面４８は、文字、図形、画像、数値、及びバーグラフなど適時選択可能である。
【００５２】
図６の表示画面４８Ｂは、画面にレダーチャートが表示されており、発進時ＤＳ１における評価、右左折時ＤＳ２における評価、車線変更時ＤＳ３における評価、後退時ＤＳ４における評価、及び直進時ＤＳ５における評価が中心から正多角形状に配置される。そして、運転者が各運転状況ＤＳｘに応じた視認行動を怠っていない場合の総合評価が面積で示されている。
【００５３】
このように、運転者が運転状況に応じた視認行動に務めた場合にそのことを視覚的に表示することで、安全な運転を維持している運転者の気分を向上するように褒め称えることができる。この他、文字や図形を大きくしたり、色を変化させたり、画像の動きを変化させたりしてもよい。
【００５４】
また、制御装置４１は、タイマー４９を備えて構成されており、そのタイマー４９により、現時刻ｔ、車両１０の運転を開始してからの経過時間Ｔなどをカウントしている。
【００５５】
次に、第一実施形態の安全運転促進方法を、図７に示すフローチャートに基づいて制御装置４１の機能として以下に説明する。なお、表示画面としては図５の表示画面４８Ａを用いるものとする。
【００５６】
まず、ステップＳ１００では、情報取得部４３が各情報Ｄｘを取得する。次いで、ステップＳ１１０〜ステップＳ１４０では、解析部４４がステップＳ１００で取得した操作情報Ｏｘ及び環境情報Ｅｘに基づいて現時刻ｔの車両１０の現運転状況ＤＳｘを解析する。
【００５７】
次いで、ステップＳ１５０〜ステップＳ１８０では、判定部４６が前述した各運転状況ＤＳｘに応じた現視認行動基準Ｃｘ（Ｃ１〜Ｃ４のいずれか）を記憶部４５から読みだし
て、ステップＳ１００で取得した視認行動情報Ｖｘと比較して、運転者の視認行動が現視認行動基準Ｃｘを満たしたか否かを判定する。運転者の視認行動が現視認行動基準Ｃｘのいずれかを満たした場合にはステップＳ１９０〜ステップＳ２２０へ進む一方、不成立の場合にはステップＳ２５０へ進む。
【００５８】
次いで、ステップＳ１９０〜ステップＳ２２０では、各運転状況ＤＳｘにおいて運転者が安全運転のための視認行動に務めたと判定されたため、報知部４７が各運転状況ＤＳｘにおけるこれまでの判定回数Ｎｘに１を加算する。次いで、ステップＳ２３０では、報知部４７が、総合評価の基準となる各運転状況ＤＳｘにおける各判定回数Ｎｘの平均である判定回数Ｎｇを算出する。次いで、ステップＳ２４０では、報知部４７が、各運転状況ＤＳｘにおける各判定回数Ｎｘ、及び判定回数Ｎｇに応じて、表示画面４８Ａの各項目に音符記号４８ａを表示して運転者を褒称してスタートへ戻る。
【００５９】
一方、ステップＳ２５０では、報知部４７が、警報器３３を鳴らして運転者に警告して、スタートへと戻る。このように各ステップＳ１００〜Ｓ２３０を行い、最終的にステップＳ２４０又はステップＳ２５０のどちらか一方を行ってスタートへ戻る一連の行程を、車両１０が停止するまで繰り返し行う。
【００６０】
このように、現運転状況ＤＳｘを解析して、その現運転状況ＤＳｘに応じた現視認行動基準Ｃｘと実際に運転者が行った視認行動とを比較して、その視認行動が現視認行動基準Ｃｘを満たしているか否かを判定したことにより、その判定結果に基づいて運転者や評価者が発進時、右左折時、後退時、直進時などの様々な運転状況で安全運転のための行動が行われているかを評価することができる。
【００６１】
これにより、今回の運転時の改善点を洗い出して次回の運行時にその改善点に対して対策したり、今回の運転時の秀逸点を見出して運転者を褒称したりして、運転者に様々な運転状況に応じた視認行動を務めさせることができる。
【００６２】
また、運転者が安全運転のための視認行動に努めていると判定した場合に、その判定結果を可視化して、その行動を褒称するようにしたことにより、不快になるおそれのある警告を発するだけでなく、安全な運転を維持している運転者の気分を向上するように褒め称えることで、警告に対する運転者の不快感を軽減すると共に、安全運転を維持している運転者に精神的な励みを与えることができる。これにより、運転者にポジティブなフィードバックを与えることができるので、運転者が安全な運転を維持するモチベーションを長期的、あるいは日常的に向上することができる。
【００６３】
また、上記の安全運転促進方法においては、報知部４７が、車両１０が始動してから停止するまで、つまり車両１０が目的地に到着したり、あるいは図示しない始動キーがオフになったりするまでの間の各運転状況における褒称回数や警告回数を記憶部４５に記憶し、その記憶した情報を運転者や評価者に報知するように構成されることが好ましい。例えば、運行管理システムにその情報を送信して、運行管理システムで各運転者の情報に基づいて成績評価を行う。
【００６４】
このように、その記録したデータに基づいて運転者の運転の成績評価を行うことができるので、運転者のモチベーションをさらに向上したり、運転中に脇見などの前方不注視や覚醒状態が低下する時間帯や走行区間などを確認して次回の運行時に注意を促したりすることもできる。
【００６５】
また、上記の安全運転促進方法において、運転状況に車線変更時（交差点での右左折を含む）ＤＳ５、及び高速巡航時ＤＳ６を含み、記憶部４５にその車線変更時ＤＳ５に応じ
た視認行動基準Ｃ５、及び高速巡航時ＤＳ６に応じた視認行動基準Ｃ６が記憶されることが望ましい。
【００６６】
車線変更時ＤＳ５は、右左折時ＤＳ２とは異なり、運転者がウィンカスイッチ１９を操作したときである。この車両変更時ＤＳ５に応じた視認行動基準Ｃ５は、車線変更時に左右一対の視認行動を行うことを例示できる。
【００６７】
高速巡航時ＤＳ６は、定速走行制御装置３５で運転者の設定した目標速度を維持するときであり、高速道路での走行を例示できる。この高速巡航時ＤＳ６に応じた視認行動基準Ｃ６は、予め設定した経過時間Ｔ２内に左側、右側、及び下側の視認行動を少なくとも１回行うことを例示できる。
【００６８】
特に、この車両変更時ＤＳ５及び高速巡航時ＤＳ６は、高速道路を走行中の機会が多く、運転者の意識が散漫になっている状況である可能性が高い。そこで、運転状況にこれら車両変更時ＤＳ５及び高速巡航時ＤＳ６を含めることにより、より詳細に運転状況に応じた視認行動を運転者が務めているか否かを判定することができ、運転者に運転状況に応じた視認行動を務めさせることができる。
【００６９】
また、上記の安全運転促進装置４０は、判定部４６が、運転者が運転状況に応じた視認行動を怠ったと判定した場合と、運転者が運転状況に応じた視認行動に務めた場合との両方を表示装置４２に視覚的に表示するように構成されることが好ましい。
【００７０】
この場合には、運転者が視認行動を怠ったと判定された、つまり警報器３３が鳴った回数Ｎｂと、運転者が安全運転を維持していると判定された回数Ｎｇとをバーグラフで表示して、安全な運転を維持している運転者の気分を向上するように褒め称えるようにする他に、運転者が視認行動を怠ったことも視覚的に表示することで、運転者に運転の質が悪化したことも報知して運転者の自己管理による予防効果を図ることができる。
【００７１】
なお、上記の実施形態では、車両１０を大型車両であるトラックを例に説明したが、本発明はこれに限定されずに、乗合自動車であるバスや普通乗用車にも適用できる。但し、特に本発明は、普通乗用車と比較して、車幅が広くて車線逸脱までの余裕がない、及び一定速度で安定に走行したいことから安全運転のための視認行動の頻度が高い大型車両に好適である。
【００７２】
また、上記の実施形態の各運転状況ＤＳｘに応じた視認行動基準Ｃ１〜Ｃ６は、あくまで例示であり、各運転状況ＤＳｘに応じて運転者が安全運転のための視認行動を怠ったか、務めたかを判定する基準であればよく、上記に限定されない。例えば、高速巡航時Ｃ６の場合には、速度Ｖを一定速度に維持する場合には、メータパネル２３を確認するための下側視認行動を条件に入れることが好ましい。
【符号の説明】
【００７３】
１０  車両
３０  車両制御装置
３１  車載ネットワーク
３２  運転支援装置
４０  安全運転促進装置
４１  制御装置
４２  表示装置
４３  情報取得部
４４  解析部
４５  記憶部
４６  判定部
４７  報知部
【図１】
0006593011.tif 000002
【図２】
0006593011.tif 000003
【図３】
0006593011.tif 000004
【図４】
0006593011.tif 000005
【図５】
0006593011.tif 000006
【図６】
0006593011.tif 000007
【図７】
0006593011.tif 000008